(57)【特許請求の範囲】
【請求項１】
四周を壁体で囲われた空間内における、設備ユニットと設備ユニットに隣接する部屋との間に設けられた間仕切パネルによる設備ユニットの間仕切壁構造であって、
前記設備ユニットを構成する壁パネルの所定の位置に嵌合部材が設けられており、前記間仕切パネルに嵌合受け材が設けられており、前記嵌合部材は金属板の上辺に凸部を形成したものであり、一方、前記嵌合受け材は金属板の下辺に凹部を形成したものであり、前記嵌合受け材の凹部を前記嵌合部材の凸部に上から嵌合することにより前記間仕切パネルが設備ユニットに固定されていることを特徴とする設備ユニットの間仕切壁構造。
【発明の詳細な説明】
【０００１】
【発明の属する技術分野】
本発明は、浴室ユニットやシャワーユニット等の設備ユニットの間仕切壁構造とその施工方法に関する。
【０００２】
【従来の技術】
従来の技術を、代表的な設備ユニットである浴室ユニットを例にとって説明する。浴室ユニットの施工は、壁体を四周に立設して浴室ユニット設置空間を構成し、その壁体に設けられた出入口開口から浴室ユニットの部材を搬入し、組み立てるという手順で行われていた。そのため、従来の浴室ユニットの間仕切壁構造では、浴室ユニットの組み立てを容易にするため、浴室ユニット設置空間の内寸と浴室ユニットの外寸との間に所定の隙間を設けていた。この隙間は、浴室ユニット設置空間の内寸と浴室ユニットの外寸の寸法誤差を吸収するためにも必要であった。また、出入口開口を有する壁体は建物の壁体として立設してあるために、壁厚の大きいものであった。
【０００３】
また、浴室に隣接して洗面脱衣室（部屋）を設置する場合は、四周を壁体で囲われた限られた面積のサニタリ設置空間内に、浴室ユニットと洗面脱衣室とを壁体（間仕切壁）を介して隣接配置することになる。従来の設備ユニットの間仕切壁構造によれば、その壁体は上記のように壁厚が大きく、浴室ユニット設置空間の内寸と浴室ユニットの外寸との間に所定の隙間を設けなければならないため、浴室を十分な広さにしようとすると洗面脱衣室が狭くなり、洗面脱衣室を十分な広さにしようとすると浴室が狭くならざるを得なかった。
【０００４】
また、従来の設備ユニットの間仕切壁構造によれば、浴室ユニットの施工前に壁体を四周に立設して浴室ユニット設置空間を構成しなければならなかった。そのため、浴室ユニットの壁パネルを浴室ユニットの内側から施工しなければならず、施工の難しいものとなっていた。また、そのために多くの部品を必要とし、浴室ユニットのコストを高いものとしていた。
【０００５】
【発明が解決しようとする課題】
本発明は上述の問題点に鑑みてなされたものであって、設備ユニットの施工後に立設でき、設備ユニットに隣接する部屋を広くすることのできる設備ユニットの間仕切壁構造を提供することを目的としている。
【０００６】
【課題を解決するための手段】
上記目的を達成するため請求項１記載の発明は、
四周を壁体で囲われた空間内における、設備ユニットと設備ユニットに隣接する部屋との間に設けられた間仕切パネルによる設備ユニットの間仕切壁構造であって、前記設備ユニットを構成する壁パネルの所定の位置に嵌合部材が設けられており、前記間仕切パネルに嵌合受け材が設けられており、前記嵌合部材は金属板の上辺に凸部を形成したものであり、一方、前記嵌合受け材は金属板の下辺に凹部を形成したものであり、前記嵌合受け材の凹部を前記嵌合部材の凸部に上から嵌合することにより前記間仕切パネルが設備ユニットに固定されていることを特徴とする設備ユニットの間仕切壁構造である。
【０００７】
本発明の間仕切パネルの嵌合受け材は、浴室ユニットを構成する壁パネルの嵌合部材に整合した位置に設けると無駄がなくて好ましい。また、本発明における間仕切パネルとしては、表面化粧をなされた面材の周縁に枠材を設けて構成すると、強度を強くでき、施工性がよいので好ましい。また、面材としては、特に限定はされないが、石膏ボードや合板等の下地面材の表面に化粧シート等を予め貼ったものや表面化粧珪酸カルシウム板や表面化粧鋼板等が使用できる。
【０００８】
また、間仕切パネルと床，壁，天井との接続部には見切り材を設けると、納まりが簡単で、意匠性にも優れるので好ましい。その見切り材の材質は、アルミニウム等の金属製や木製や合成樹脂製のもの等を選択することができる。
【０００９】
【作用】
請求項１記載の発明の設備ユニットの間仕切壁構造においては、設備ユニットを構成する壁パネルの所定の位置に嵌合部材が設けられており、間仕切パネルに嵌合受け材が設けられており、嵌合受け材を嵌合部材に嵌合することにより間仕切パネルが設備ユニットに固定されている。つまり、間仕切パネルの一面側に設備ユニットが設けられており、作業スペースがなくても、間仕切パネルの他面側から嵌合受け材を嵌合部材に嵌合させることにより、間仕切パネルを固定することができる。
【００１０】
また、嵌合部材は金属板の上辺に凸部を形成したものであり、一方、嵌合受け材は金属板の下辺に凹部を形成したものであり、壁パネルの嵌合部材の凸部に間仕切パネルの嵌合受け材の凹部を上から嵌合するようになされている。従って、間仕切パネルの一面側に設備ユニットが設けられており、かつ、間仕切パネルを左右に動かす作業スペースがなくても、間仕パネルの他面側から嵌合受け材を上から嵌合部材に嵌合させることにより、間仕切パネルを強固に固定することができる。
【００１１】
【発明の実施の形態】
以下、本発明の実施の形態を実施例にもとづき図面を参照して説明する。図１は本発明の設備ユニットの間仕切壁構造の適用例を説明するためのサニタリ空間の水平断面図であり、図２は図１の間仕切壁の正面図であり、図３は図１のIII 部の水平断面図であり、図４は図１の部のIV部の水平断面図であり、図５は図１の設備ユニットの間仕切壁構造を示す縦断面図である。
【００１２】
図１によって、本発明の設備ユニットの間仕切壁構造の適用例を説明する。壁体１１，１２，１３，１４で、浴室ユニット（設備ユニット）２と洗面脱衣室（設備ユニットに隣接する部屋）２Ａとからなるサニタリ設置空間１を構成している。浴室ユニット２は壁体１１，１３，１４と間仕切パネル１５，１５Ａとで四方を囲われている。浴室ユニット２は洗い場２１，浴槽２２，壁パネル２３，２３，２３，２３，天井パネル等から構成されており、出入口開口２４が設けられている。
【００１３】
浴室ユニット２と洗面脱衣室２Ａとの間の間仕切壁は、図２に示すように、間仕切パネル１５，１５Ａ，１５Ｂ及び出入口枠２４２とアルミサッシュ２４１とが備えられた出入口開口２４から構成されている。間仕切パネル１５には、手摺１５９が取り付けられている。
【００１４】
この浴室ユニット２の施工手順は、先ず、建物としての壁体１１，１２，１３，１４を立設して、サニタリ設置空間１を形成した後、作業するのに適度な隙間を壁体１１，１３との間に設けて浴室ユニット２の洗い場２１と浴槽２２とを組み立てる。その後、浴室ユニット２を壁体１４に当接して所定の位置に設置し、給水配管，給湯配管，排水配管等を行う。その後に、壁パネル２３，２３，２３，２３と天井パネルとを取り付ける。さらに、間仕切パネル１５，１５Ａ，１５Ｂを浴室ユニット２に取り付け、出入口枠２４２とアルミサッシュ２４１とを取り付ける。さらに、間仕切パネル１５にスイッチやコンセント等の電気設備や手摺り１５９を取り付ける。このようにして、浴室ユニットの施工が完了する。
【００１５】
次に、図３，図４，図５により、図１の設備ユニットの間仕切壁構造の詳細を説明する。最初に、サニタリ設置空間１の説明をする。図３に示すように、壁体１３は、木質軸組工法の壁であり、１０５ｍｍ角の柱１３１の両側面に厚さ１２ｍｍの耐水合板１３２，１３２が釘で取着してある。ここで、サニタリ設置空間１の洗面脱衣室２Ａの内側には石膏ボード１３３が取着してある。また、図５に示すように、床３は、床根太３２に厚さ１５ｍｍの耐水合板３１を釘により取着して形成してある。また、天井４は、天井野縁４２に厚さ１２ｍｍの石膏ボード４１を釘により取着して形成してある。
【００１６】
次に、浴室ユニット２の構造を説明する。図３に示すように、浴室ユニット２の壁パネル２３は、表面化粧鋼板２３１の裏面に石膏ボード２３２を接着により取着してある。また、表面化粧鋼板２３１の側縁を外向きに折り曲げさらに折り返して接合片２３１ａを形成してある。壁パネル２３と壁パネル２３との直角の突合せ部は鋼板製で長尺の継ぎ材２３３Ａで接合片２３１ａ，２３１ａを挟持することにより固着してある。
【００１７】
また、図４に示すように、浴室ユニット２の出入口開口２４ａと間仕切パネル１５の出入口開口２４ｂとに一体の出入口枠２４２が設けてある。この出入口枠２４２は、ビス２４４で継ぎ材２３３Ｂに、ビス２４５で間仕切パネル１５のフレーム１５４に固着してある。さらに、出入口枠２４２は、ビスで床３にも固定してある。開口部に接する壁パネル２３の側縁と出入口枠２４２の側縁との突合せ部は、壁パネル２３の接合片２３１ａと出入口枠２４２の接合片２４２ａとを、前述の鋼板製の長尺の継ぎ材２３３Ｂで挟持することにより固着してある。出入口枠２４２にはアルミサッシ２４１が設けてあり、アルミサッシ２４１にはガラス入り引き戸障子が設けてある。
【００１８】
上述のように出入口開口２４が構成されるので、浴室ユニット２と間仕切パネル１５とを、出入口開口２４の側面で簡単に一体化することができる。また、間仕切パネル１５を出入口枠２４２を介して床３に固定することができる。
【００１９】
また、図５に示すように、継ぎ材２３３Ａには、間仕切パネル１５に向けて突出するように、嵌合金具（嵌合部材）２３４がビス２３７，２３７で取着してある。ここで、継ぎ材２３３Ｂについても同様であるので説明を省略する。この嵌合金具２３４は、長方形の鋼板の上辺に凸部２３４ａを形成したものであり、継ぎ材２３３Ａ，２３３Ｂの上中下の３箇所に取着してある。さらに、継ぎ材２３３Ａ，２３３Ｂの上端間に渡って長尺の受け片２３５が取り付けてある。また、天井パネル２４は、表面化粧鋼板２４１の裏面に発泡スチレン樹脂板２４３を接着により取着してある。また、表面化粧鋼板２４１の周縁を上向きに折り曲げさらに外向きに折り返して接合片２４１ａを形成してある。壁パネル２３と天井パネル２４との直角の突合せ部は、受け片２３５の上に接合片２４１ａを載置し、接合クリップ２４２で挟持することにより固着してある。また、壁パネル２３の上端と下端はコーキング材２３ａ，２３ａにより防水処理がなされている。
【００２０】
以上のように構成されている浴室ユニット２と洗面脱衣室２Ａとの間に間仕切パネル１５が設けられている。この間仕切パネル１５は、天井４と床３との間で上下移動可能なように、天井高よりもわずかに短い長さとされており、その上端と天井４との間には隙間が設けてある。その隙間は回り縁４３で塞がれており、間仕切パネル１５の下端部の隙間は幅木３３で塞がれている。
【００２１】
間仕切パネル１５は、表面化粧珪酸カルシウム板１５１の周縁にアルミニウム製枠材１５４を接着により取着して形成してある。また、表面化粧珪酸カルシウム板１５１の裏面には、補強のため石膏ボード１５２が接着により取着してあり、その裏面中央部には耐水合板１５３が接着により取着してある。間仕切パネル１５の枠材１５４の厚さは１９ｍｍであり、表面化粧珪酸カルシウム板１５１の厚さは５ｍｍである。つまり、間仕切パネル１５の厚さはそれらの合計２４ｍｍとしてある。
【００２２】
間仕切パネル１５の両側端部の枠材１５４には、図３，図４に示すように、フレーム１５５Ａ，１５５Ｂがビス１５５ａで固着してある。これらのフレーム１５５Ａ，１５５Ｂは、図５に示すように、間仕切パネル１５と浴室ユニット２との隙間を所定寸法に保つように設けられている。また、フレーム１５５Ａ，１５５Ｂには、それぞれ浴室ユニット２の壁パネル２３に向かって突出するように受け金具（嵌合受け材）１５６がビス２３７，２３７で取着してある。この受け金具１５６は、長方形の鋼板の下辺に凹部１５６ａを形成したものであり、フレーム１５５Ａ，１５５Ｂの上中下の３箇所に取着してある。それらの受け金具１５６の凹部１５６ａを嵌合金具２３４の凸部２３４ａに上から嵌合することにより、間仕切パネル１５が壁パネル２３を介して浴室ユニット２に固着されている。
【００２３】
また、間仕切パネル１５の下端面の枠材１５４には、間仕切パネル１５の下端面にわたって取付開口１５４ａが設けてある。この取付開口１５４ａは、床３の所定の位置にＬアングル１５８を介してビス１５６で固着した間仕切パネル固定部材１５７に嵌合させてある。このようにすることにより、足先や物体が当たって力の加わることの多い間仕切パネル１５の下端部を補強してある。
【００２４】
さらに、図３に示すように、フレーム１５５Ａの側縁部には、ボード差し込み口１５５ａが設けてあり、石膏ボード１３３の一側縁部が保持固定されている。このように、石膏ボード１３３の一側縁部は、柱等の受け材がなくても固定することができる。また、間仕切パネル１５と石膏ボード１３３とで形成されるコーナー部を隙間なく納めることができる。
【００２５】
また、間仕切パネル１５には、手摺り１５９がビス１５９ａ，１５９ａにより取り付けてある。ビス１５９ａ，１５９ａは耐水合板１５３に到達する長さとしてあるので、ビスの保持力を十分発現できる。
【００２６】
上記間仕切パネル１５の取り付け手順は以下の通りである。先ず、浴室ユニット２をサニタリ設置空間１の所定の位置に設置、固定する。次に、床３の所定の位置に間仕切パネル固定部材１５７をＬアングル１５８を介してビス１５６で固着する。次に、フレーム１５４の取付開口１５４ａに壁パネル固定部材１５７を、嵌合金具２３４に嵌合受け材１５６を上から挿入して、間仕切パネル１５を浴室ユニット２に固定する。また、間仕切パネル１５Ａ，１５Ｂを同様に取り付ける。さらに、間仕切パネル１５，１５Ａ，１５Ｂを出入口開口側の端部において、図４に示すように、出入口枠２４２で固定する。最後に、間仕切パネル１５，１５Ａ，１５Ｂの上端部に回り縁４３を、下端部に幅木３３を取り付けて間仕切パネル１５の取り付けが完了する。
【００２７】
上述のように間仕切パネル１５が固定されるので、間仕切パネル１５の一面側に浴室ユニット２が設けられており、作業スペースがなくても、間仕切パネル１５の取付開口１５４ａを間仕切パネル固定部材１５７に、嵌合金具２３４に嵌合受け材１５６を上から挿入して、嵌合させることにより、少ない工数で間仕切パネル１５を強固に固定することができる。また、間仕切パネル１５は、壁パネル２３を介して浴室ユニット２と一体化されるので、厚さが薄く強度の小さい間仕切パネル１５であっても、強度の強い壁パネル２３によって補強されて、十分な強度の壁体とすることができる。
【００２８】
また、間仕切パネル１５を立設する前に、浴室ユニット２を組み立てることができるので、浴室ユニット２の組み立てを容易にすることができる。
【００２９】
また、浴室ユニット２をサニタリ設置空間１に設置し、間仕切パネル１５を取り付ける前に、浴室ユニット２と間仕切パネル１５との間の隙間に電線の配線をすることができる。つまり、電線の配線が容易であり、スイッチやコンセント等の電気設備を設けることが簡単にできる。
【００３０】
また、表面化粧珪酸カルシウム板１５１の裏面に石膏ボード１５２を介して耐水合板１５３が取着してあるので、間仕切パネル１５を取り付けた後でも手摺り１５９を十分な強度で取り付けることができる。
【００３１】
次に、図１を参照して、尺モジュールの木質軸組工法における本発明の設備ユニットの間仕切壁構造の適用例を説明する。ここで、壁体１１と１３との壁心間の距離Ａ（幅）は１８２０ｍｍ（呼び寸法１８００ｍｍ）になっている。壁体１２と１４との壁心間の距離（長さ）はその２倍（Ａ＋Ａ）の３６４０ｍｍ（呼び寸法３６００ｍｍ）になっている。壁体は１０５ｍｍ角の柱の両面に厚さ１２ｍｍの壁面材を取着して形成してあり１２９ｍｍである。そこで、壁体１１と１３との内面間の距離Ｅは１６９１ｍｍになっている。また、壁厚の１／２を示すａは６４．５ｍｍである。ＢとＣとは浴室ユニット２の外寸でそれぞれ幅１６６５ｍｍ（呼び寸法１６００ｍｍ），長さ１８２０ｍｍ（呼び寸法１８００ｍｍ）である。また、浴室ユニット２の外面と壁体１１と１３の内面との間に１３ｍｍづつ隙間を設けてあるので、ｂは７７．５ｍｍとなっている。間仕切パネル１５の厚さは２４ｍｍとしてあり、浴室ユニット２との間に６ｍｍの隙間を設けてｄは３０ｍｍとしてある。
【００３２】
このようにして形成した洗面脱衣室２Ａには、壁体１３に沿って洗面化粧台３２が設置してある。この洗面脱衣室２Ａの長さは１６６１ｍｍである。上述のように、２坪（呼び寸法で１８００ｍｍ×３６００ｍｍ）という限られたサニタリ設置空間１に、呼び寸法で１６００ｍｍ×１８００ｍｍという十分な広さの浴室ユニット２を設置し、かつ、洗面化粧台３２の幅を十分に取ることができる。
【００３３】
次に、洗面脱衣室２Ａの使い勝手について説明する。洗面化粧台の幅方向のモジュールは１５０ｍｍ単位であり、７５０ｍｍ（１５０ｍｍ×５）の長さがあれば機能を満たすとされている。上記実施例においては、長さ１６５０ｍｍ（１５０ｍｍ×１１）の機能的に優れた洗面化粧台３２を設置することができる。また、長さ７５０ｍｍの洗面化粧台を設置する場合は、その横に９１１ｍｍの長さの空間を確保できる。そのため、長さ８００ｍｍの洗濯機用の防水パンを十分な施工代をとって設置できる。また、１０５０ｍｍ（１５０ｍｍ×７）の長さの洗面化粧台を設置する場合は、その横に６００ｍｍ角のパイプシャフトを設けることができる。
【００３４】
上述のように構成されているので、本発明の設備ユニットの間仕切壁構造により、洗面脱衣室は十分な機能を実現でき、使い勝手のよいものとすることができる。
【００３５】
図１を参照して、４方に壁体を立設した後に浴室ユニット２を搬入して組み立てる枠組壁工法の従来技術を説明する。従来技術では、間仕切パネル１５は厚さ１２９ｍｍの木質軸組工法の壁体となる。この場合、浴室ユニット２の外面と、壁体１４及び間仕切パネル１５に代わる厚さ１２９ｍｍの壁体との間に、施工を容易にし寸法誤差を吸収するために、それぞれ１３ｍｍづつの隙間を取っていた。このため、洗面脱衣室の内寸Ｄ（長さ）は１５３６ｍｍとなる。従って、洗面脱衣室２Ａの内寸Ｄが狭く、そのレイアウトは非常に制限されたものとなる。具体的には、７５０ｍｍの洗面化粧台の横には、長さ７８６ｍｍの空間しか確保できない。
【００３６】
以上、本発明の実施例を図面により説明したが、本発明の具体的構成はこの実施例に限られるものではなく、本発明の要旨を逸脱しない範囲の設計の変更等があっても本発明に含まれる。
【００３７】
例えば、浴室ユニットは全体を組み立てた後に壁体１４に当接してもよい。また、洗面脱衣室をユニット化してもよい。また、サニタリ設置空間１の壁体１１，１２，１３，１４の内側の面材１３２や天井４の面材４１が取り付けられていない状態で、浴室ユニット２と間仕切パネル１５を施工した後、必要な面材を取着してもよい。さらに、建物は、鉄骨造であっても、コンクリート造であっても、枠組み壁式工法であってもよい。
【００３８】
浴室ユニット２の壁パネル２３は、浴室ユニット２の外側から取り付るようになされてもよい。また、間仕切パネル１５の下端の取付開口１５４ａに嵌合する間仕切パネル固定部材１５７やＬアングル１５８は省略しても構わない。また、枠材１５４はアルミニウムでなく、防錆処理をした鋼材やステンレススチール製であってもよい。また、フレーム１５５Ａ，１５５Ｂや継ぎ材２３３Ａ，２３３Ｂは、アルミニウムやステンレススチール製であってもよい。また、壁パネル２３や天井パネル２４は表面化粧珪酸カルシウム板を使用してもよい。
【００３９】
【発明の効果】
請求項１記載の発明の設備ユニットの間仕切壁構造においては、設備ユニットを構成する壁パネルの所定の位置に嵌合部材が設けられており、前記間仕切パネルに嵌合受け材が設けられており、前記嵌合受け材を前記嵌合部材に嵌合することにより前記間仕切パネルが設備ユニットに固定されている。つまり、間仕切パネルの一面側に設備ユニットが設けられており、作業スペースがなくても、間仕切パネルの他面側から嵌合受け材を嵌合部材に嵌合させることにより、間仕切パネルを固定することができる。つまり、設備ユニットを設置した後に間仕切パネルを立設することができる。また、間仕切パネルを立設する前に、設備ユニットを組み立てることができるので、設備ユニットの組み立てを容易にすることができる。
【００４０】
また、嵌合部材は金属板の上辺に凸部を形成したものであり、一方、嵌合受け材は金属板の下辺に凹部を形成したものであり、壁パネルの嵌合部材の凸部に間仕切パネルの嵌合受け材の凹部を上から嵌合するようになされている。従って、間仕切パネルの一面側に設備ユニットが設けられており、かつ、間仕切パネルを左右に動かす作業スペースがなくても、間仕パネルの他面側から嵌合受け材を上から嵌合部材に嵌合させることにより、間仕切パネルを強固に固定することができる。つまり、設備ユニットを設置した後に間仕切パネルを立設することができる。
【図面の簡単な説明】
【図１】本発明の設備ユニットの間仕切壁構造の適用例を説明するためのサニタリ空間の水平断面図である。
【図２】図１の間仕切壁の正面図である。
【図３】図１のIII 部の水平断面図である。
【図４】図１のIV部の水平断面図である。
【図５】図１の設備ユニットの間仕切壁構造を示す縦断面図である。
【符号の説明】
１  サニタリ設置空間（空間）
１１，１２，１３，１４  壁体
１５，１５Ａ，１５Ｂ  間仕切パネル
１５６  受け金具（嵌合受け材）
２  浴室ユニット（設備ユニット）
２Ａ  洗面脱衣室（設備ユニットに隣接する部屋）
２３  壁パネル
２３４  嵌合金具（嵌合部材）
２４  出入口開口
２４ａ  浴室ユニットの出入口開口
２４ｂ  間仕切パネルの出入口開口
２４２  出入口枠
２Ａ  洗面脱衣室（設備ユニットに隣接する部屋）
【図１】
0004201453.tif 000002
【図２】
0004201453.tif 000003
【図３】
0004201453.tif 000004
【図４】
0004201453.tif 000005
【図５】
0004201453.tif 000006